【事件の表示】
　特許第２７５６０５３号「交流駆動型プラズマディスプレイパネル駆動方法」の請求項１ないし４に係る特許に対する特許異議の申立てについて、次のとおり決定する。
【結論】
　訂正を認める。
　特許第２７５６０５３号の請求項１ないし４に係る特許を維持する。
【理由】
Ｉ．手続きの経緯
　本件特許第２７５６０５３号に係る発明は、平成４年５月１１日に特許出願され、平成１０年３月６日にその発明ついて特許の設定登録がなされた後、その特許について、特許異議申立人牧田美樹より特許異議申立がなされ、取消理由通知がなされ、その指定期間内である平成１１年７月１５日に訂正請求がなれたものである。
ＩＩ．訂正の適否についての判断
１．訂正の内容
▲１▼訂正事項ａ
　　特許請求の範囲の、
「【請求項１】　１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、
該アドレス期間の前に、全画素にて壁電荷を生成させる書き込み放電と画素内に蓄積された壁電荷を消去させる消去放電とを共に実施するサブフィールドと、
該アドレス期間の前に、該全画素にて壁電荷を生成させる書込み放電を実施することなく、画素内に蓄積された壁電荷を消去させる消去放電を実施するサブフィールドと、
を含むことを特徴とする交流駆動型プラズマディスプレイパネル駆動方法。」
を、
「【請求項１】　　１フレームを複数のサブフィールドにて構成し、各々のサブフィールドが、点灯させようとする画素に壁電荷を生成させるアドレス期間と、該アドレス期間で選択的に書込みした画素を放電発光させる維持放電．期間とを備えたプラズマディスプレイパネルを駆動する交流駆動型プラズマディスプレイパネル駆動方法において、該１フレームが、
該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、
該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドと、
を含むことを特徴とする交流駆動型プラズマディスプレイパネル駆動方法。」
と訂正する。
　これに伴い、特許請求の範囲の記載と発明の詳細な説明の記載との整合を図るため、明瞭でない記載の釈明を目的として、明細書【００１０】の記載
「【００１０】
　　【課題を解決するための手段及びその作用】
　請求項１の発明では、１フレームを複数のサブフィールドにて構成し、各々のサブフィールドが、点灯させようとする画素に壁電荷を生成させるアドレス期間と、該アドレス期間で選択的に書込み
した画素を放電発光させる維持放電期間とを備えたプラズマディスプレイパネルを駆動する交流駆動型プラズマディスプレイパネル駆動方法において、該１フレームが、該アドレス期間の前に、全画素にて壁電荷を生成させる書き込み放電と画素内に蓄積された壁電荷を消去させる消去放電とを共に実施するサブフィールドと、該アドレス期間の前に、該全画素にて壁電荷を生成させる書込み放電を実施することなく、画素内に蓄積された壁電荷を消去させる消去放電を実施するサブフィールドとを含むことを特徴とする。本発明では、１フレーム内の１つのサブフィールドにおいてのみ全面書込みを行っているので、全面消去の表示を行う場合、例えばＮ＝８では１フレームで４＋３×７＝２５回放電発光し、全面消去時の放電発光回数が従来の３２回よりも少なくなって、表示品質が向上する。」
を、
「【００１０】
　　【課題を解決するための手段及びその作用】
　請求項１の発明では、１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドとを含むことを特徴とする。本発明では、１フレーム内の１つのサブフィールドにおいてのみ全面書込みを行っているので、全面消去の表示を行う場合、例えばＮ＝８では１フレームで４＋３×７＝２５回放電発光し、全面消去時の放電発光回数が従来の３２回よりも少なくなって、表示品質が向上する。」
と訂正する。
▲２▼訂正事項ｂ
　　特許請求の範囲の、
「【請求項３】　前記消去放電は、維持電圧より低い電圧で微小な放電を生じさせる大幅消去であることを特徴とする請求項１記載の交流駆動型プラズマディスプレイパネル駆動方法。」
を、
「【請求項３】　前記消去放電は、維持電圧より低い電圧で微小な放電を生じさせる太幅消去であることを特徴とする請求項１記載の交流駆動型プラズマディスプレイパネル駆動方法。」
と訂正する。
　これに伴い、特許請求の範囲の記載と発明の詳細な説明の記載との整合をはかるため、明瞭でない記載の釈明を目的として、明細書【００１２】の記載
「【００１２】
　請求項３の発明では、請求項１において、前記消去放電は、維持電圧より低い電圧で微小な放電を生じさせる大幅消去であることを特徴とする。」
を、
「【００１２】
　請求項３の発明では、請求項１において、前記消去放電は、維持電圧より低い電圧で微小な放電を生じさせる太幅消去であることを特徴とする。」
と訂正する。
▲３▼訂正事項ｃ
　　特許請求の範囲の、
「【請求項４】　前記全画素にて壁電荷を生成させる書き込み放電を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。」
を、
「【請求項４】　前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。」
と訂正する。
　これに伴い、特許請求の範囲の記載と発明の詳細な説明の記載との整合を図るため、明瞭でない記載の釈明を目的として、明細書【００１３】の記載
「【００１３】
　請求項４の発明では、請求項１乃至３のいずれか１つにおいて、前記全画素にて壁電荷を生成させる書き込み放電を実施するサブフィールドは、前記１フレームの最初のサブフィールドであり、他のサブフィールドは、前記書込み放電を実施することなく消去放電を実施するサブフィールドであることを特徴とする。」
を、
「【００１３】
　請求項４の発明では、請求項１乃至３のいずれか１つにおいて、前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする。」
と訂正する。
２．訂正の目的の適否、新規事項の有無及び拡張・変更の存否
　上記訂正事項ａ、ｂ及びｃについては、特許請求の範囲の減縮、誤記の訂正及び明りょうでない記載の釈明を目的として訂正するものであって、新規事項の追加に該当せず、また、実質上特許請求の範囲を拡張し、変更するものでない。
３．独立特許要件
　訂正明細書の請求項１、２、３及び４に係る発明は、特許出願の際独立して特許を受けることができるものである。
４．むすび
　以上のとおりであるから、上記訂正事項ａ．ｂ及びｃは、特許法第１２０条の４第２項及び同条第３項において準用する１２６条第２〜４項の規定に適合するので、当該訂正を認める。
ＩＩＩ．特許異議申立について
１．本件発明
　平成１１年７月１５日付け訂正明細書の請求項１、２、３、及び４に係る発明（以後、「本件発明」という。）は、その特許請求の範囲の請求項１、２、３及び４に記載された事項により特定される次のとおりのものである。
「【請求項１】１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、
該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、
該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドと、
を含むことを特徴とする交流駆動型プラズマディスプレイパネル駆動方法。
【請求項２】前記消去放電は、放電の進行段階でパルスを中断させる細幅消去であることを特徴とする請求項１記載の交流駆動型プラズマディスプレイパネル駆動方法。
【請求項３】前記消去放電は、維持電圧より低い電圧で微小な放電を生じさせる太幅消去であることを特徴とする請求項１記載の交流駆動型プラズマディスプレイパネル駆動方法。
【請求項４】前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。」
２．申立ての理由の概要
　申立人は、証拠として甲第１号証特開平３−２１９２８６号公報を提出し、本件発明の特許は、特許法第２９条第１項の規定に違反してなされたものであるから、特許を取り消すべき旨主張している。
３．当審が通知した取消理由に引用された引用刊行物１記載の発明
（１）刊行物１（特開平３−２１９２８６号公報）には、次の事項が記載されている。
　ＡＣ型ドットマトリクスタイプのプラズマディスプレイパネルを用い、一画面を表示する１フィールド期間を複数のサブフィールドに分割し、各サブフィールドにおける発光回数を所定の値に設定するＡＣ型プラズマディスプレイパネルの駆動方法において、階調表示用の各サブフィールドでは線順次走査による書込が行われる書込タイミングと、線順次で書込んだ状態を消去し、発光を停止させる消去タイミングを設けると共に、階調表示用とは別に１つのサブフィールドを設け、このサブフィールドの期間内に予備放電を行わせることにより、点灯ミスを発生することがなくなった、階調表示可能なプラズマディスプレイパネルの駆動方法。
４．対比・判断
　本件発明は「１フレーム内の１個のサブフィールドにおいてのみ全面書込を行っているので、全面消去の表示を行う場合（すなわち全面黒の表示を行う場合）に放電発光回数が従来よりも少なくなって、表示品質が向上する」ことを目的として、「アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、
アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドと、を含むこと」をその構成の特徴点とするものである。
　一方、刊行物１には、上記目的を示す記載はないし、示唆もない。
　刊行物１には、アドレス期間の前に消去タイミングが設けあるが、本件発明と対比すると、▲１▼サブフィールドの構成が、本願の請求項１に係る発明は、アドレス期間の前に消去放電をもたらすために全画素に対して同時に行う電圧印加を実施するサブフィールドであるのに対して、刊行物１のサブフィールドは線順次走査の書込タイミング、維持期間、線順次で消去する消去タイミング、放電発光の停止期間で構成されている点で相違すると共に、▲２▼消去のタイミングが、刊行物１のものは、同時に消去パルスを印加しているのは予備放電サブフィールドでのみであって、階調表示用のサブフィールドの消去タイミングの消去放電は線順次で書込んだ状態を消去し、発光を停止させるのであるのに対して、本件発明では、アドレス期間の前に消去放電をもたらすために全画素に対して同時に行う電圧印加を実施する点で相違している。
　従って、本件発明は刊行物１に記載された発明とは同一でもなく、また刊行物１に記載された発明にもとづいて当業者が容易に発明することができたものとすることはでない。
　そして、本件発明の特許は、上記刊行物１に記載のない上記構成の特徴点を有することにより、特許明細書に記載されたとおりの、全面消去の表示を行う場合（すなわち全面黒の表示を行う場合）に放電発光回数が従来よりも少なくなって、表示品質が向上するという作用・効果を奏するものである。
５．むすび
　以上のとおりであるから、特許異議申立人の理由及び証拠によっては、本件請求項１、２、３及び４に係る発明の特許を取り消すことはできない。
　また、他に本件請求項１、２、３及び４に係る発明の特許を取り消すべき理由を発見しない。
　よって、結論のとおり決定する。
【異議決定日】
平成１１年７月２７日（１９９９．７．２７）
【訂正の要旨】
▲１▼訂正事項ａ
　　特許請求の範囲の、
「【請求項１】　１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、
該アドレス期間の前に、全画素にて壁電荷を生成させる書き込み放電と画素内に蓄積された壁電荷を消去させる消去放電とを共に実施するサブフィールドと、該アドレス期間の前に、該全画素にて壁電荷を生成させる書込み放電を実施することなく、画素内に蓄積された壁電荷を消去させる消去放電を実施するサブフィールドと、
を含むことを特徴とする交流駆動型プラズマディスプレイパネル駆動方法。」
を、
「【請求項１】　１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、
該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、
該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドと、
を含むことを特徴とする交流駆動型プラズマディスプレイパネル駆動方法。」
と訂正する。
　これに伴い、特許請求の範囲の記載と発明の詳細な説明の記載との整合を図るため、明瞭でない記載の釈明を目的として、明細書【００１０】
「【００１０】
　　【課題を解決するための手段及びその作用】
　請求項１の発明では、１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、該アドレス期間の前に、全画素にて壁電荷を生成させる書き込み放電と画素内に蓄積された壁電荷を消去させる消去放電とを共に実施するサブフィールドと、該アドレス期間の前に、該全画素にて壁電荷を生成させる書込み放電を実施することなく、画素内に蓄積された壁電荷を消去させる消去放電を実施するサブフィールドとを含むことを特徴とする。本発明では、１フレーム内の１つのサブフィールドにおいてのみ全面書込みを行っているので、全面消去の表示を行う場合、例えばＮ＝８では１フレームで４＋３×７＝２５回放電発光し、全面消去時の放電発光回数が従来の３２回よりも少なくなって、表示品質が向上する。」
を、
「【００１０】
　　【課題を解決するための手段及びその作用】
　請求項１の発明では、１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドとを含むことを特徴とする。本発明では、１フレーム内の１つのサブフィールドにおいてのみ全面書込みを行っているので、全面消去の表示を行う場合、例えばＮ＝８では１フレームで４＋３×７＝２５回放電発光し、全面消去時の放電発光回数が従来の３２回よりも少なくなって、表示品質が向上する。」
と訂正する。
▲２▼訂正事項ｂ
　　特許請求の範囲の、
「【請求項３】　前記消去放電は、維持電圧より低い電圧で微小な放電を生じさせる大幅消去であることを特徴とする請求項１記載の交流駆動型プラズマディスプレイパネル駆動方法。」
を、
「【請求項３】　前記消去放電は、維持電圧より低い電圧で微小な放電を生じさせる太幅消去であることを特徴とする請求項１記載の交流駆動型プラズマディスプレイパネル駆動方法。」
と訂正する。
　これに伴い、特許請求の範囲の記載と発明の詳細な説明の記載との整合を図るため、明瞭でない記載の釈明を目的として、明細書【００１２】
「【００１２】
　請求項３の発明では、請求項１において、前記消去放電は、維持電圧より低い電圧で微小な放電を生じさせる大幅消去であることを特徴とする。」
を、
「【００１２】
　請求項３の発明では、請求項１において、前記消去放電は、維持電圧より低い電圧で微小な放電を生じさせる太幅消去であることを特徴とする。」
と訂正する。
▲３▼訂正事項ｃ
　　特許請求の範囲の、
「【請求項４】　前記全画素にて壁電荷を生成させる書き込み放電を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。」
を、
「【請求項４】　前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。」
と訂正する。
　これに伴い、特許請求の範囲の記載と発明の詳細な説明の記載との整合を図るため、明瞭でない記載の釈明を目的として、明細書【００１３】
「【００１３】
　請求項４の発明では、請求項１乃至３のいずれか１つにおいて、前記全画素にて壁電荷を生成させる書き込み放電を実施するサブフィールドは、前記１フレームの最初のサブフィールドであり、他のサブフィールドは、前記書込み放電を実施することなく消去放電を実施するサブフィールドであることを特徴とする。」を、
「【００１３】
　請求項４の発明では、請求項１乃至３のいずれか１つにおいて、前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする。」
と訂正する。
（５４）【発明の名称】
交流駆動型プラズマディスプレイパネル駆動方法
（５７）【特許請求の範囲】
　　【請求項１】　１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、
該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、
該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドと、
を含むことを特徴とする交流駆動型プラズマディスプレイパネル駆動方法。
　　【請求項２】　前記消去放電は、放電の進行段階でパルスを中断させる細幅消去であることを特徴とする請求項１記載の交流駆動型プラズマディスプレイパネル駆動方法。
　　【請求項３】　前記消去放電は、維持電圧より低い電圧で微小な放電を生じさせる太幅消去であることを特徴とする請求項１記載の交流駆動型プラズマディスプレイパネル駆動方法。
　　【請求項４】　前記全画素にて壁電荷を生成させる書き込み放電をもたらすために全画素に対して同時に行う電圧印加を実施するサブフィールドは、前記１フレームの最初のサブフィールドであり、他のサブフィールドは、前記書込み放電を実施することなく消去放電を実施するサブフィールドであることを特徴とする請求項１乃至３のいずれか１つに記載の交流駆動型プラズマディスプレイパネル駆動方法。
【発明の詳細な説明】
　【０００１】
　　【産業上の利用分野】
　本発明は、交流駆動型プラズマディスプレイパネル駆動方法に関する。
　【０００２】
　　【従来の技術】
　図３は、交流駆動型プラズマディスプレイ装置の全体構成を示す。
　【０００３】
　交流駆動型プラズマディスプレイバネル１０は、その一方の面に、互いに平行な走査電極Ｙ１〜Ｙｎ及び共通電極Ｘが設けられ、対向面にこれら電極と直角な方向にアドレス電極Ａ１ｌ〜Ａｎが設けられている。共通電極Ｘは、各走査電極Ｙ１〜Ｙｎに対応してこれに接近して設けられ、一端が互いに共通に接続されている。
　【０００４】
　図４は、１画素である、第ｉ行第ｊ列のセルＣｉｊの断面構成を示す。共通電極Ｘ及び走査電極Ｙｉはガラス基板１１上に形成され、その上に、放電空間１７に対し絶縁するための誘電体層１２が被着され、さらにその上にＭｇＯ保護膜１３が被着されている。一方、アドレス電極Ａｉは、ガラス基板１１と対向配置されたガラス基板１４上に形成され、その上に蛍光体１５が被着されている。また、ガラス基板１４及びアドレス電極Ａｉ上には、画素境界に、セル間混色防止用及び放電ギャップ維持用のセパレータ１６が形成されている。ＭｇＯ保護膜１３と蛍光体１５との間の放電空間１７には、Ｎｅ＋Ｘｅペニングガスが封入されている。
　【０００５】
　図３において、共通電極ＸはＸドライバ２０の出力端に接続され、走査電極Ｙ１〜ＹｎはＹドライバ３０の出力端に接続され、アドレス電極Ａ１〜Ａｍはアドレスドライバ４０の出力端に接続されている。これらＸドライバ２０、Ｙドライバ３０及びアドレスドライバ４０は制御回路５０からの制御信号により制御され、制御回路５０は、外部からの表示データＤ、表示データＤの読込みタイミングを示すクロックＣＬＫ、水平同期信号ＨＳ及び垂直同期信号ＶＳに基づいてこの制御信号を生成する。
　【０００６】
　図５は、交流駆動型プラズマディスプレイパネルの駆動方法の一例を示す電圧波形図であり、１サブフィールド分を示している。この１サブフィールドは、全面書込み期間と、全面消去期間と、アドレス期間と、維持放電期間とに区分される。
　【０００７】
　２Ｎ階調表示を行う場合、１フレームをＮ個のサブフィールドで構成し、各サブフィールドを前記４つの期間で構成し、第１〜Ｎサブフィールドでの維持放電期間の比を２０：２１：・・・：２Ｎ−２：２Ｎ−１とする（特願平２−３３１５８９号）。図６は、Ｎ＝８の場合の１フレームの各サブフィールドの構成を示す。
　【０００８】
　　【発明が解決しようとする課題】
　しかし、１フレーム内の各サブフィールドで全面書込み及び全面消去を行うので、全面消去状態の表示を行う場合でも各サブフィールドにおいて本駆動波形では４回放電発光し、例えばＮ＝８の場合には１フレームで３２回も放電発光する為、全面消去、すなわち全面黒の表示のときでも、灰色になり、高品位表示を阻害する原因となっていた。
　【０００９】
　本発明の目的は、このような問題点に鑑み、表示品質を向上させることができる交流駆動型プラズマディスプレイパネル駆動方法を提供することにある。
　【００１０】
　　【課題を解決するための手段及びその作用】
　請求項１の発明では、１フレームを複数のサブフィールドにて構成し、各々のサブフィールドが、点灯させようとする画素に壁電荷を生成させるアドレス期間と、該アドレス期間で選択的に書込みした画素を放電発光させる維持放電期間とを備えたプラズマディスプレイパネルを駆動する交流駆動型プラズマディスプレイパネル駆動方法において、該１フレームが、該アドレス期間の前に、全画素にて壁電荷を生成させる書き込み放電をもたらすために全画素に対して同時に行う電圧印加と、画素内に蓄積された壁電荷を消去させる消去放電をもたらすために全画素に対して同時に行う電圧印加とを共に実施するサブフィールドと、該アドレス期間の前に、該全画素にて壁電荷を生成させる書込み放電をもたらすために全画素に対して同時に行う電圧印加を実施することなく、画素内に蓄積された壁電荷を消去させる消去放電をもたらすために全画素に対して同時に行う電圧印加を実施するサブフィールドとを含むことを特徴とする。本発明では、１フレーム内の１つのサブフィールドにおいてのみ全面書込みを行っているので、全面消去の表示を行う場合、例えばＮ＝８では１フレームで４＋３×７＝２５回放電発光し、全面消去時の放電発光回数が従来の３２回よりも少なくなって、表示品質が向上する。
　【００１１】
　請求項２の発明では、請求項１において、前記消去放電は、放電の進行段階でパルスを中断させる細幅消去であることを特徴とする。
　【００１２】
　請求項３の発明では、請求項１において、前記消去放電は、維持電圧より低い電圧で微小な放電を生じさせる太幅消去であることを特徴とする。
　【００１３】
　請求項４の発明では、請求項１乃至３のいずれか１つにおいて、前記全画素にて壁電荷を生成させる書き込み放電をもたらすために全画素に対した同時に行う電圧印加を実施するサブフィールドは、前記１フレームの最初のサブフィールドであり、他のサブフィールドは、前記書込み放電を実施することなく消去放電を実施するサブフィールドであることを特徴とする。
　【００１４】
　【００１５】
　【００１６】
　　【実施例】
　以下、図面に基づいて本発明の一実施例を説明する。
　【００１７】
　例えば２５６階調表示を行う場合、図６に対応して図１に示す如く、１フレームを第１〜８サブフィールドで構成する。第１サブフィールドは、全面書込み期間と、全面消去期間と、アドレス期間と、維持放電期間とからなる。第２〜８サブフィールドはいずれも、第１サブフィールドの全面書込み期間を除いたもの、すなわち、全面消去期間と、アドレス期間と、維持放電期間とからなる。
　【００１８】
　第１〜８サブフィールドの各維持放電期間ｔｌ〜ｔ８の比は図６と同様に、
ｔ１：ｔ２：ｔ３：・・・：ｔ７：ｔ８＝１：２：４：８：１６：３２：６４：１２８
となっている。
　【００１９】
　１フレーム時間は図６の場合と等しく、１／６０秒である。したがって、本実施例では図６の場合よりも（全面書込み期間）×７の時間だけ他の期間で使用でき、パルス幅を図６の場合よりも広くすることができる。
　【００２０】
　図２は、第１及び第２のサブフィールドにおいて、アドレス電極Ａ１〜Ａ４８０、共通電極Ｘ及び走査電極Ｙ１〜Ｙ４８０に印加される電圧の波形を示す。第１サブフィールドの電圧波形は図５と同一であり、以下にこれを説明する。なお、図中のサブフィールド区分信号は、図３の制御回路５０で生成される。
　【００２１】
　（１）全面書込み期間
　最初の全面書込み期間では、走査電極Ｙ１〜ＹｎがグランドレベルＧＮＤにされ、この状態で共通電極Ｘが、放電開始電圧Ｖｆよりも高い書込み電圧Ｖｗにされて（全面書き込みパルス）、共通電極Ｘと走査電極Ｙ１〜Ｙｎとの間で、すなわち全セルで、書込み放電が行われる。放電が進むにつれ、共通電極Ｘ電極上の誘電体層１２には負の壁電荷が蓄積され、走査電極Ｙ１〜Ｙｎ上の誘電体層１２には正の壁電荷が蓄積される。この壁電荷は放電空間の電圧を低減させるため、１μｓ程度で放電が終結する。
　【００２２】
　次に、走査電極Ｙ１〜Ｙｎが、放電開始電圧Ｖｆよりも低い維持電圧ＶＳにされ、共通電極ＸがグランドレベルＧＮＤ）にされ（維持パルス）、これに前記壁電荷による電圧が加算されて、共通電極Ｘと走査電極Ｙ１〜Ｙｎとの間で維持放電が行われる。これにより、共通電極Ｘ電極上の誘電体層１２には正の壁電荷が蓄積され、走査電極Ｙ１〜Ｙｎ上の誘電体層１２には負の壁電荷が蓄積されて、放電が終了する。この維持パルスにより、壁電荷が安定化される。
　【００２３】
　（２）全面消去期間
　次に、共通電極Ｘが維持電圧ＶＳにされ、走査電極Ｙ１〜ＹｎがグランドレベルＧＮＤにされて（全面消去パルス）、消去放電が生じ、壁電荷が中和されて消去される。この消去方法には、放電の進行段階でパルスを中断させる細幅消去方法と、維持電圧ＶＳより低い電圧で微小な放電を生じさせる太幅消去方法とがある。
　【００２４】
　（３）アドレス期間
　次に、表示データの書込みが線順次に行われる。すなわち、まず走査電極Ｙ１がグランドレベルＧＮＤにされて選択され、第１表示行の点灯しようとするセルに対応したアドレス電極に電圧Ｖａが印加されて（書込みパルス）、両電極間で書込み放電が行われ、壁電荷が生成される。以下、第２〜ｎ表示行についてこの順に、上記同様の動作が行われる。
　【００２５】
　（４）維持放電期間
　次に、走査電極Ｙ１〜Ｙｎが共に維持電圧ＶＳの状態で共通電極ＸがグランドレベルＧＮＤにされ（維持パルス）、アドレス期間で書込み放電を行なったセルにおいて壁電荷が加算され、維持放電が行われる。次に、共通電極Ｘを維持電圧ＶＳに戻した状態で走査電極Ｙ１〜Ｙｎが共にグランドレベルＧＮＤにされ（維持パルス）、アドレス期間で書込み放電を行なったセルにおいて壁電荷が加算され、維持放電が行われる。以下、このような動作が交互に繰り返される。すなわち、共通電極Ｘと走査電極Ｙ１〜Ｙｎとの間に交流維持パルスが供給されて、画像が表示される。
　【００２６】
　第２サブフィールドは、第１サブフィールドでの全面書込み期間を省略し、維持放電期間を第１サブフィールドのそれの２倍にしている。他は第１サブフィールドと同一である。
　【００２７】
　第２サブフィールドの全面消去期間においては、直前の維持放電で生成された壁電荷が、全面消去放電により消失する。第３サブフィールド以下の全面消去期間についても第２サブフィールドと同様である。
　【００２８】
　本実施例では、１フレーム内の最初のサブフィールドにおいてのみ全面書込みを行っているので、全面消去の表示を行う場合、１フレームで４＋３×７＝２５回放電発光し、放電発光回数が従来の３２回よりも少なくなって、表示品質が向上する。なお、上記実施例において、共通電極は、複数組に分割されていてもよい。
　【００２９】
　　【発明の効果】
　以上説明した如く、本発明に係る交流駆動型プラズマディスプレイパネル駆動方法では、１フレーム内の１個のサブフィールドにおいてのみ全面書込みを行っているので、全面消去の表示を行う場合に放電発光回数が従来よりも少なくなって、表示品質が向上するという効果を奏する。
【図面の簡単な説明】
　　【図１】
　本発明の１実施例に係り、２５６諧調表示する場合の１フレームの各サブフィールド構成図である。
　　【図２】
　第１及び第２のサブフィールドでの各電極に印加される電圧波形図である。
　　【図３】
　交流駆動型プラズマディスプレイ装置の概略構成図である。
　　【図４】
　図３のセルの断面構成図である。
　　【図５】
　従来例に係り、１サブフィールドでの各電極に印加される電圧波形図である。
　　【図６】
　従来例に係り、２５６諧調表示する場合の１フレームの各サブフィールド構成図である。
　　【符号の説明】
　Ａ１〜Ａｍ　アドレス電極
　Ｘ　共通電極
　Ｙ１〜Ｙｎ　走査電極